(57)【特許請求の範囲】
【請求項１】
有機物で汚染された汚染土壌を好気性微生物の代謝によって浄化する汚染土壌の浄化方法であって、
前記汚染土壌を含む浄化対象領域から前記有機物で汚染された汚染地下水を汲み上げるために前記浄化対象領域の周囲に複数の揚水井戸を造設する揚水井戸造設工程と、
前記揚水井戸から前記汚染地下水を汲み上げる揚水工程と、
前記揚水工程で汲み上げた前記汚染地下水に含まれる前記有機物をオゾンで分解処理するとともに同分解処理によって生じた酸素により前記汚染地下水に含まれる酸素量を増加させて高濃度酸素水を生成する浄化工程と、
前記浄化工程にて生成した前記高濃度酸素水を前記浄化対象領域に供給する給水工程とを含み、さらに、
前記揚水工程の前に、
前記浄化対象領域に前記好気性微生物を加えて同浄化対象領域内における土壌を撹拌する土壌撹拌工程を含むことを特徴する汚染土壌の浄化方法。
【請求項２】
請求項１に記載した汚染土壌の浄化方法において、さらに、
前記給水工程の前に、
前記浄化工程にて生成した前記高濃度酸素水を前記浄化対象領域に供給するための給水管を前記浄化対象領域内に造設する給水設備造設工程を含むことを特徴する汚染土壌の浄化方法。
【請求項３】
請求項１または請求項２に記載した汚染土壌の浄化方法において、
前記給水工程は、
前記浄化対象領域における土壌上および同土壌内に前記高濃度酸素水を供給することを特徴する汚染土壌の浄化方法。
【請求項４】
請求項１ないし請求項３のうちのいずれか１つに記載した汚染土壌の浄化方法において、
前記揚水工程は、
前記浄化対象領域の周囲に造設した全ての前記揚水井戸の数より少ない数を単位として各単位ごとの前記揚水井戸から順番に前記汚染地下水を汲み上げることを特徴する汚染土壌の浄化方法。
【請求項５】
請求項１ないし請求項４のうちのいずれか１つに記載した汚染土壌の浄化方法において、
前記浄化工程は、
前記揚水工程で汲み上げた前記汚染地下水に気泡直径が５０μｍ以下のマイクロバブルからなる前記オゾンを供給して前記汚染地下水を分解処理するとともに前記高濃度酸素水を生成することを特徴する汚染土壌の浄化方法。
【発明の詳細な説明】
【技術分野】
【０００１】
本発明は、有機物で汚染された汚染土壌を好気性微生物の代謝によって浄化する汚染土壌の浄化方法に関する。
【背景技術】
【０００２】
従来から、トリクロロエチレン（ＴＣＥ）、テトラクロエチレン（ＰＣＥ）などの揮発性有機塩素化合物（ＶＯＣ）やガソリンなどの石油系炭化水素によって汚染された地下土壌や地下水を浄化する方法の一つに生物分解処理（バイオレメディエーション）が知られている。生物分解処理は、有機物を酸素に基づく代謝によって分解する所謂好気性微生物（菌類や植物）を用いて汚染された地下土壌および地下水を浄化する浄化方法の一つである。
【０００３】
例えば、下記特許文献１には、汚染土壌の下層から汲み上げた地下水を用いて高濃度酸素水を生成するとともに、生成した高濃度酸素水を再び汚染土壌の下層に供給して同汚染土壌の下層から酸素を発生させることにより、汚染土壌中に存在する好気性微生物の代謝を活発化させて汚染土壌を浄化する汚染土壌の浄化方法が開示されている。
【先行技術文献】
【特許文献】
【０００４】
【特許文献１】特開平１０−２１６６９６号公報
【０００５】
しかしながら、このような汚染土壌の浄化方法においては、汚染土壌よりも下層で地下水の層を探さなければならないとともに、この地下水の層に達する深さの揚水用の井戸（揚水井戸）および給水用の井戸（給水井戸）をそれぞれ施設しなければならず、汚染土壌の浄化のための準備、延いては汚染土壌の浄化処理全体に掛かる時間、手間およびコストが増大するという問題があった。
【０００６】
本発明は上記問題に対処するためなされたもので、その目的は、簡単かつ効率的な構成によって汚染土壌の浄化処理全体に掛かる時間、手間およびコストを低減することができる汚染土壌の浄化方法を提供することにある。
【発明の概要】
【０００７】
上記目的を達成するため、本発明の特徴は、有機物で汚染された汚染土壌を好気性微生物の代謝によって浄化する汚染土壌の浄化方法であって、汚染土壌を含む浄化対象領域から有機物で汚染された汚染地下水を汲み上げるために浄化対象領域の周囲に複数の揚水井戸を造設する揚水井戸造設工程と、揚水井戸から汚染地下水を汲み上げる揚水工程と、揚水工程で汲み上げた汚染地下水に含まれる有機物をオゾンで分解処理するとともに同分解処理によって生じた酸素により汚染地下水に含まれる酸素量を増加させて高濃度酸素水を生成する浄化工程と、浄化工程にて生成した高濃度酸素水を浄化対象領域に供給する給水工程とを含み、さらに、揚水工程の前に、浄化対象領域に好気性微生物を加えて同浄化対象領域内における土壌を撹拌する土壌撹拌工程を含むことにある。
【０００８】
このように構成した本発明の特徴によれば、汚染土壌の浄化方法は、汚染土壌を含む浄化対象領域の周囲に造設した揚水井戸から汚染地下水を汲み上げてオゾンで化学分解処理することにより汚染地下水を浄化するとともに溶存酸素量を増加させた高濃度酸素水を浄化対象領域に戻している。これにより、浄化対象領域内における汚染土壌中の好気性微生物の代謝を活発化することができ、生物分解処理を促進させることができる。すなわち、本発明に係る汚染土壌の浄化方法は、浄化対象領域における汚染土壌を生物分解処理する過程において汚染土壌中に地下水を循環させることにより、汚染物質を含む汚染地下水を化学分解処理で浄化しながら生物分解処理を促進させることができる高濃度酸素水を生成している。この結果、簡単かつ効率的な構成によって汚染土壌を浄化することができ、汚染土壌の浄化処理全体に掛かる時間、手間およびコストを低減することができる。
【０００９】
また、本発明の特徴によれば、汚染土壌の浄化方法は、浄化対象領域に好気性微生物を加えて同浄化対象領域内における土壌を撹拌する土壌撹拌工程を含んでいる。これによれば、浄化対象領域における汚染土壌中の好気性微生物が少ない場合や密度に偏りがある場合において汚染土壌中に十分な量の好気性微生物を均一に存在させることができ、汚染土壌に含まれる有機物を効率的かつ効果的に分解して汚染土壌を浄化することができる。
【００１０】
また、本発明の他の特徴は、前記浄化方法において、さらに、給水工程の前に、浄化工程にて生成した高濃度酸素水を浄化対象領域に供給するための給水管を浄化対象領域内に造設する給水設備造設工程を含むことにある。
【００１１】
また、本発明の他の特徴は、前記汚染土壌の浄化方法において、給水工程は、浄化対象領域における土壌上および同土壌内に高濃度酸素水を供給することにある。
【００１２】
このように構成した本発明の他の特徴によれば、汚染土壌の浄化方法は、給水工程において浄化対象領域における土壌上および同土壌内に高濃度酸素水を供給している。これにより、浄化対象領域における土壌上または土壌中に高濃度酸素水を供給する場合に比べて汚染土壌を効率的かつ効果的に浄化することができる。なお、浄化対象領域に高濃度酸素水を供給する場合、好気性微生物は土壌中に生息しているため土壌上に供給するよりも直接土壌中に供給する方が汚染土壌を効率的かつ効果的に浄化することができる。この場合、土壌中に給水用の井戸（給水井戸）を設けることによって高濃度酸素水を効果的に土壌中に給水することができる。
【００１３】
また、本発明の他の特徴は、前記汚染土壌の浄化方法において、揚水工程は、浄化対象領域の周囲に造設した全ての揚水井戸の数より少ない数を単位として各単位ごとの揚水井戸から順番に汚染地下水を汲み上げることにある。
【００１４】
このように構成した本発明の他の特徴によれば、汚染土壌の浄化方法は、揚水工程において浄化対象領域の周囲に造設した全ての揚水井戸の数より少ない数を単位として各単位ごとの揚水井戸から順番に汚染地下水を汲み上げている。すなわち、浄化対象領域の周囲に造設した全ての揚水井戸から同時に汲み上げるのではなく、汚染地下水を汲み上げる揚水井戸をいくつかに分けて順番に汲み上げるようにしている。これにより、浄化対象領域内において地下水の水道（みずみち）が形成されることを防止することができ、汚染地下水が汲み上げられる場所の偏りをなくして浄化対象領域内から満遍なく汚染地下水を汲み上げることができる。なお、この場合、各揚水井戸から汲み上げられる汚染地下水の量や汲み上げ時間は、浄化対象領域内に地下水の水道（みずみち）が形成されない程度の量および時間であることは当然である。

【００１５】
また、本発明の他の特徴は、前記汚染土壌の浄化方法において、浄化工程は、揚水工程で汲み上げた汚染地下水に気泡直径が５０μｍ以下のマイクロバブルからなるオゾンを供給して汚染地下水を分解処理するとともに高濃度酸素水を生成することにある。
【００１６】
このように構成した本発明の他の特徴によれば、汚染土壌の浄化方法は、浄化工程においてオゾンの気泡直径が５０μｍ以下のマイクロバブルを用いている。これにより、揚水井戸によって汲み上げた汚染地下水を効率的に浄化することができるとともに浄化した地下水における酸素濃度を効率的に増加させることができる。
【図面の簡単な説明】
【００１７】
【図１】本発明に係る汚染土壌の浄化方法の実施に用いる汚染土壌の浄化システムのシステム構成の概略を模式的に示した平面図である。
【図２】図１に示すＡ−Ａ線から見た汚染土壌の浄化システムのシステム構成の概略を模式的に示した断面図である。
【図３】本発明に係る汚染土壌の浄化方法の作業工程の流れを示した工程フローチャートである。
【発明を実施するための形態】
【００１８】
以下、本発明に係る汚染土壌の浄化方法の一実施形態について図面を参照しながら説明する。図１は、本発明に係る汚染土壌の浄化方法の実施に用いる汚染土壌の浄化システム１００のシステム構成の概略を模式的に示した平面図である。また、図２は、図１に示すＡ−Ａ線から見た汚染土壌の浄化システム１００のシステム構成の概略を模式的に示した断面図である。なお、本明細書において参照する各図は、本発明の理解を容易にするために一部の構成要素を誇張して表わすなど模式的に表している。このため、各構成要素間の寸法や比率などは異なっていることがある。
【００１９】
この汚染土壌の浄化システム１００は、トリクロロエチレン（ＴＣＥ）、テトラクロエチレン（ＰＣＥ）、ジクロロエチレン（ＤＣＥ）などの揮発性有機塩素化合物（ＶＯＣ）やガソリンなどの石油系炭化水素によって汚染された地下土壌や地下水を生物分解処理（バイオレメディエーション）と化学分解処理とを用いて浄化するものである。ここで、生物分解処理とは、有機物を酸素に基づく代謝によって分解する所謂好気性微生物（菌類や植物）を用いて汚染された地下土壌および地下水を浄化するものである。また、化学分解処理とは、汚染された地下土壌および地下水に金属や各種薬品を添加することにより汚染物質を酸化・還元または触媒反応などの化学的な反応によって分解して浄化するものである。
【００２０】
（汚染土壌の浄化システム１００の構成）
汚染土壌の浄化システム１００は、揚水井戸１０１を備えている。揚水井戸１０１は、揮発性有機塩素化合物や石油系炭化水素などの汚染物質によって汚染された汚染土壌ＰＳ内に含まれる汚染地下水ＰＷを汲み上げるための井戸である。この揚水井戸１０１は、図１に示すように、汚染土壌ＰＳ内に含まれる汚染地下水ＰＷを汚染土壌ＰＳを含む浄化対象領域ＣＥの外に漏らさない汲み上げ量、深さ、配置および数によって造設される。具体的には、揚水井戸１０１は、塩化ビニル製の揚水管１０２を浄化対象領域ＣＥの周囲に埋設することにより構成されている。
【００２１】
揚水管１０２は、主として、塩化ビニル製のパイプ体１０２ａとステンレス製の網体１０２ｂとで構成されている。パイプ体１０２ａは、汚染地下水ＰＷを導入して地上に送るための筒状の部分であり、外周面に多数の図示しない貫通孔が形成されている。網体１０２ｂは、胴部１０２ａ内に土砂が侵入することを防止するためのフィルタであり、パイプ体１０２ａの外周面における地中に埋設される部分に巻き付けられている。
【００２２】
なお、本実施形態においては、浄化対象領域ＣＥは縦の長さが約１３ｍ、横の長さ約５ｍ×深さが約３ｍの範囲であり、この浄化対象領域ＣＥに対して揚水管１０２は内径が約１００ｍｍ、地中に埋設される長さが約５ｍに形成されている。そして、揚水管１０２は、平面視で長方形状の浄化対象領域ＣＥにおける２つの長辺に沿って同各長辺の外側にそれぞれ３つずつ並んで埋設される。これにより、揚水井戸１０１は、本実施形態においては、長方形状の浄化対象領域ＣＥにおける２つの長辺の各外側にそれぞれ３つずつ配置されるとともに浄化対象領域ＣＥの深さより若干深い深さで造設される。
【００２３】
これらの各揚水井戸１０１（揚水管１０２）は、それぞれ揚水配管１０３を介して井戸切替装置１０４に接続されている。井戸切替装置１０４は、ポンプ配管１０５を介して接続される１つの揚水ポンプ１０６に接続されており、この揚水ポンプ１０６に対して前記６つの揚水井戸１０１を選択的に順次切り替えて接続するための電磁弁からなる機械装置である。この井戸切替装置１０４は、予め設定された時間間隔ごとに６つの揚水井戸１０１を順次切り替えて揚水ポンプ１０６に接続する。この場合、予め設定された時間間隔とは、浄化対象領域ＣＥ内から汚染地下水ＰＷを汲み上げる際に、浄化対象領域ＣＥ内に地下水の水道（みずみち）が形成されることを防止することができる時間間隔であり、浄化対象領域ＣＥ内外の地層（土壌）の状態および揚水井戸１０１からの単位時間当たりの汲み上げ量などに基づいて適宜設定される。
【００２４】
揚水ポンプ１０６は、井戸切替装置１０４によって選択的に接続される１つの揚水井戸１０１を介して浄化対象領域ＣＥの周囲の地層から汚染地下水ＰＷを汲み上げるための機械装置である。この揚水ポンプ１０６の吐出口は、浄化槽配管１０７を介して地下水処理装置１１０に接続されている。
【００２５】
地下水処理装置１１０は、浄化対象領域ＣＥの周囲の地層から汲み上げた汚染地下水ＰＷを浄化するとともに溶存酸素量を増加させた高酸素濃度水を生成するための処理槽であり、主として、浄化槽１１１と清水槽１１４とで構成されている。浄化槽１１１は、揚水ポンプ１０６によって汲み上げられた汚染地下水ＰＷを最初に受け入れて浄化するための貯留部であり、図示左右方向中央部が仕切板１１１ａによって仕切られたプール状に形成されている。
【００２６】
仕切板１１１ａは、浄化槽１１１内に導入される汚染地下水ＰＷに含まれる油分が浄化槽１１１に隣接する清水槽１１４に流れることを防止するために浄化槽１１１の上部のみを仕切る板部材である。また、浄化槽１１１内における浄化槽配管１０７の吐出口側である上流側には、オゾン供給装置１１２が設けられている。オゾン供給装置１１２は、主としてオゾン発生器１１２ａ、マイクロバブル生成装置１１２ｂおよび水中ポンプ１１２ｃによって構成されている。オゾン発生器１１２ａは、オゾンガスを連続的に生成する機械装置であり、浄化槽１１１の外側に隣接して設けられている。
【００２７】
マイクロバブル生成装置１１２ｂは、オゾン発生装置１１２ａで生成されたオゾンガスを取り込んで気泡直径が５０μｍ以下の所謂マイクロバブル状のオゾンを噴射する機械装置であり、浄化槽１１１の底部近傍に設けられている。また、水中ポンプ１１２ｃは、マイクロバブル生成装置１１２ｂから噴射されたマイクロバブル状のオゾンを浄化槽１１１ａ内に拡散させるための水流を発生させる機械装置であり、浄化槽１１１内におけるマイクロバブル生成装置１１２ｂの近傍に設けられている。なお、図２においては、マイクロバブル生成装置１１２ｂから発生させたオゾンを点群で示している。
【００２８】
一方、地下水処理装置１１０内の天井部分には、オゾン処理触媒１１３が設けられている。オゾン処理触媒１１３は、浄化槽１１１内から気中に放出されるオゾンガスを接触分解法により除去するためのものであり、シリカやアルミナなどの金属材料および金属酸化物によって構成されている。
【００２９】
清水槽１１４は、浄化槽１１１内でオゾンにより化学分解処理されて汚染物質が除去された処理水の貯留部であり、浄化槽１１１と同様にプール状に形成されている。この清水槽１１４は、浄化槽１１１に対して図示右側に隣接配置されており、浄化槽１１１からオーバーフローした処理水が直接導かれるようになっている。この場合、浄化槽１１１からオーバーフローして清水槽１１４に導かれる処理水は、浄化槽１１１内におけるオゾンによる化学分解処理によって発生した酸素により溶存酸素量が増加した高濃度酸素水ＤＯＷとなっている。なお、図２においては、地下水処理装置１１０内における汚染地下水の浄化の程度をハッチングの濃さによって表している。
【００３０】
また、清水槽１１４内には、給水ポンプ１１５が接続されている。給水ポンプ１１５は、清水槽１１４内に貯留された高濃度酸素水ＤＯＷを吸引して浄化対象領域ＣＥに供給するための機械装置である。この給水ポンプ１１５は、地下水処理装置１１０の清水槽１１４に設置したフロータスイッチ１１５ａを介して電源に接続される。これにより、給水ポンプ１１５は、清水槽１１４内に貯留される高濃度酸素水ＤＯＷの量に応じて作動が開始および停止する。
【００３１】
また、この給水ポンプ１１５には、給水配管１１６を介して散水管１１７および給水井戸１１８がそれぞれ接続されている。散水管１１７は、浄化対象領域ＣＥ内の地表面に高濃度酸素水ＤＯＷを散水するための可撓性を有するゴム製のホースであり、外周面に高濃度酸素水ＤＯＷを散水するための散水孔が長手方向に沿って複数設けられている。この散水管１１７は、浄化対象領域ＣＥ内に満遍なく高濃度酸素水ＤＯＷを散水することができるように配置される。本実施形態においては、散水管１１７は、互いに平行に延びる２つの散水管１１７が浄化対象領域ＣＥの長手方向に沿ってそれぞれ設けられている。
【００３２】
給水井戸１１８は、給水ポンプ１１５によって送られる高濃度酸素水ＤＯＷを浄化対象領域ＣＥの土壌中に注水供給するための井戸である。この給水井戸１１８は、図１に示すように、浄化対象領域ＣＥの土壌中に満遍なく高濃度酸素水ＤＯＷを注水することができる給水量、深さ、配置および数によって造設される。具体的には、給水井戸１１８は、樹脂製の給水管１２０を浄化対象領域ＣＥ内に埋設することにより構成されている。
【００３３】
給水管１２０は、樹脂製の胴部１２０ａの両端部に筒状のジョイント部１２０ｂおよび挿込部１２０ｃがそれぞれ取り付けられて構成されている。胴部１２０ａは、土壌中に高濃度酸素水ＤＯＷを注水するための筒状の部分であり、その外周面に多数の貫通孔が形成されて構成されている。また、ジョイント部１２０ｂは、給水ポンプ１１５から延びる給水配管１１６を接続するための樹脂製の接続部材である。また、挿込部１２０ｃは、胴部１２０ａを地中に挿し込んでいくための樹脂製の部分であり、円錐状に尖って形成されている。
【００３４】
なお、本実施形態おいては、前記浄化対象領域ＣＥに対して給水管１２０は外径が約３０ｍｍ、地中に埋設される長さが約２ｍに形成されている。そして、この給水管１２０は、浄化対象領域ＣＥの幅方向に２列、浄化対象領域ＣＥの長手方向に４列の合計８つ埋設される。この場合、各給水管１２０は、給水ポンプ１１５から延びて枝分かれた給水配管１１６にそれぞれ接続される。これにより、給水井戸１１８は、浄化対象領域ＣＥの幅方向に２列、浄化対象領域ＣＥの長手方向に４列の合計８つ配置されるとともに浄化対象領域ＣＥの深さより若干浅い深さで造設される。
【００３５】
なお、本実施形態においては、浄化対象領域ＣＥの長手方向に沿って２列で配置される給水井戸１１８上にそれぞれ散水管１１７が配置されている。しかし、散水管１１７および給水井戸１１８は、それぞれ浄化対象領域ＣＥ上および浄化対象領域ＣＥの土壌中に満遍なく高濃度酸素水ＤＯＷを供給することができる配置であればよく、必ずしも本実施形態で示した配置および位置関係である必要はない。
【００３６】
（汚染土壌の浄化システム１００の作動）
次に、上記のように構成した汚染土壌の浄化システム１００の作動、すなわち、汚染土壌ＰＳの浄化処理作業について説明する。まず、作業者は、第１工程にて、揮発性有機塩素化合物（ＶＯＣ）や石油系炭化水素によって汚染された汚染土壌ＰＳや汚染地下水を含む浄化対象領域ＣＥを特定する。この場合、浄化対象領域ＣＥとしては、工場跡地、廃棄物の処分地、給油所跡地および廃棄物の不法投棄地などがある。したがって、作業者は、これらの浄化対象となる土地から土壌サンプルを採取して汚染範囲を特定することにより浄化が必要な面積および深さからなる浄化対象領域ＣＥを特定する。本実施形態においては、浄化対象領域ＣＥは縦×横×深さが約１３ｍ×約５ｍ×約３ｍの範囲に設定される。
【００３７】
次に、作業者は、第２工程において、揚水井戸の造設工程を行う。この揚水井戸の造設工程は、前記特定した浄化対象領域ＣＥの周囲に揚水井戸１０１を造設する作業である。したがって、作業者は、揚水井戸１０１を構成する揚水管１０２を用意した後、打込機を用いて浄化対象領域ＣＥの周囲に揚水管１０２を打ち込むことにより揚水井戸１０１を造設する。この場合、揚水井戸１０１は、前記したように、浄化対象領域ＣＥから汚染地下水が漏えいしない汲み上げ量、深さ、配置および数で造設される。本実施形態においては、揚水井戸１０１は、内径が約１００ｍｍ、地中に埋設される長さが約５ｍの揚水管１０２が浄化対象領域ＣＥにおける２つの長辺に沿って同各長辺の外側にそれぞれ３つずつ並んで打ち込まれて造設される。
【００３８】
次いで、作業者は、揚水配管１０３、井戸切替装置１０４、ポンプ配管１０５、揚水ポンプ１０６、浄化槽配管１０７、地下水処理装置１１０および給水ポンプ１１５をそれぞれ用意する。そして、作業者は、揚水配管１０３を用いて揚水井戸１０１（揚水管１０２）と井戸切替装置１０４とを接続し、ポンプ配管１０５を用いて井戸切替装置１０４と揚水ポンプ１０６とを接続し、浄化槽配管１０７の一端を揚水ポンプ１０６に接続するとともに、地下水処理装置１１０の清水槽１１４に給水ポンプ１１５を接続する。この場合、揚水井戸１０１を構成する揚水管１０２と揚水配管１０３との接続においては、揚水配管１０３における揚水管１０２内に挿入される部分が可撓性のホースで構成されることにより、揚水管１０２内における揚水位置（吸込口の位置）を自由に変更できるように接続される。また、給水ポンプ１１５は、地下水処理装置１１０の清水槽１１４に設けられたフロートスイッチ１１５ａを介して電源に接続される。これらにより、浄化対象領域ＣＥの周囲から汚染地下水ＰＷを汲み上げて地下水処理装置１１０に導入することが可能となる。
【００３９】
次に、作業者は、第３工程において、浄化対象領域ＣＥ内の汚染土壌ＰＳの撹拌工程を行なう。この汚染土壌ＰＳの撹拌工程は、浄化対象領域ＣＥ内の汚染土壌ＰＳに好気性微生物（有機物を酸素に基づく代謝によって分解する菌類や植物）を加えて撹拌することにより好気性微生物を汚染土壌ＰＳ中に略均一に分散させる作業である。具体的には、作業者は、液体を送るための図示しない送液ポンプ、貯水タンクおよび可撓性ホースをそれぞれ用意する。そして、作業者は、送液ポンプの吸水口を貯水タンクに接続するとともに送液ポンプの吐水口に可撓性ホースを接続する。また、作業者は、貯水タンクに浄化槽配管１０７の他端を接続する。
【００４０】
次いで、作業者は、好気性微生物（図示せず）を用意した後、井戸切替装置１０４および揚水ポンプ１０６の作動をそれぞれ開始させることにより、浄化対象領域ＣＥの周囲から汚染地下水ＰＷを汲み上げて貯水タンク内に導入する。この場合、井戸切替装置１０４は、予め設定された時間間隔ごとに６つの揚水井戸１０１を順次切り替えて揚水ポンプ１０６に接続する。これにより、浄化対象領域ＣＥ内に地下水の水道（みずみち）が形成されることが防止される。
【００４１】
次いで、作業者は、前記用意した好気性微生物を貯水タンク内に投入するとともに送液ポンプの作動を開始させる。これにより、送液ポンプに接続された可撓性ホースにおける他方の端部から好気性微生物が含まれた汚染地下水が吐出される。すなわち、送液ポンプに接続された可撓性ホースからは、好気性微生物とこの好気性微生物の栄養源となる有機物（汚染物質）を含むスラリー状の水が吐出される。
【００４２】
したがって、作業者は、送液ポンプに接続された可撓性ホースにおける他方の端部から吐出される好気性微生物が含まれた汚染地下水を浄化対象領域ＣＥ上に給水しながらバックホーなどの掘削土木機を用いて浄化対象領域ＣＥ内の汚染土壌ＰＳを撹拌する。これにより、作業者は、好気性微生物を汚染土壌ＰＳ中に均一に存在させることができる。なお、この場合、好気性微生物の栄養源となる有機物を好気性微生物とともに貯水タンク内に投入することにより、汚染土壌ＰＳに加えた好気性微生物をより活性化することができる。
【００４３】
そして、作業者は、この汚染土壌ＰＳの撹拌作業が終了した場合には、井戸切替装置１０４、揚水ポンプ１０６および送液ポンプ１１５の各作動を停止させた後、浄化槽配管１０７の他端を貯水タンクから外して送液ポンプ、貯水タンクおよび可撓性ホースをそれぞれ撤去する。次いで、作業者は、浄化槽配管１０７の他端を地下水処理装置１１０の浄化槽１１１に接続する。これにより、揚水ポンプ１０６と地下水処理装置１１０とが浄化槽配管１０７を介して接続される。
【００４４】
次に、作業者は、第４工程において、給水設備の造設工程を行う。この給水設備の造設工程は、浄化対象領域ＣＥ内における汚染土壌ＰＳ上および同汚染土壌ＰＳ内に高濃度酸素水ＤＯＷを供給する設備である散水管１１７および給水井戸１１８をそれぞれ造設する作業である。具体的には、作業者は、給水井戸１１８を構成する給水管１２０を用意した後、打込機を用いて浄化対象領域ＣＥ内に給水管１２０を打ち込むことにより給水井戸１１８を造設する。この場合、給水管１２０は、胴部１２０ａに鋼管製のカバーが設けられて補強された状態で浄化対象領域ＣＥ内に打ち込まれた後、この鋼管製のカバーのみ地中から抜き取られる。そして、この給水井戸１１８は、浄化対象領域ＣＥの土壌中に満遍なく高濃度酸素水ＤＯＷを給水することができる給水量、深さ、配置および数によって造設される。本実施形態においては、給水井戸１２０は、外径が約３０ｍｍ、地中に埋設される長さが約２ｍの給水管１２０を浄化対象領域ＣＥの幅方向に２列、浄化対象領域ＣＥの長手方向に４列の合計８つ打ち込んで造設される。
【００４５】
次いで、作業者は、散水管１１７を用意して同散水管１１７を浄化対象領域ＣＥ内の知表面に配置する。具体的には、作業者は、浄化対象領域ＣＥ内において長手方向に２列で造設した給水井戸１２０上に散水管１１７をそれぞれ配置する。次いで、作業者は、給水配管１１６を用意して給水ポンプ１１５に対して散水管１１７および給水井戸１１８（給水管１２０）をそれぞれ接続する。これにより、汚染土壌の浄化システム１００の設置作業が完了する。
【００４６】
次に、作業者は、第５工程において、浄化対象領域ＣＥ内における汚染土壌ＰＳの浄化作業を行う。具体的には、作業者は、井戸切替装置１０４および揚水ポンプ１０６の作動をそれぞれ開始させる。これにより、浄化対象領域ＣＥ内における汚染土壌ＰＳ内に含まれる汚染地下水ＰＷが揚水井戸１０１から汲み上げられて地下水処理装置１１０の浄化槽１１１内に導かれる。この場合、井戸切替装置１０４は、予め設定された時間間隔ごとに６つの揚水井戸１０１を順次切り替えて揚水ポンプ１０６に接続することにより、浄化対象領域ＣＥ内に地下水の水道（みずみち）が形成されることを防止する。この第５工程における汚染地下水ＰＷの汲み上げ工程が、本発明に係る揚水工程に相当する。
【００４７】
次に、作業者は、地下水処理装置１１０に付属して設けたオゾン供給装置１１２および給水ポンプ１１５の作動をそれぞれ開始させる。この場合、作業者は、浄化槽１１１内に設置したマイクロバブル生成装置１１２ｂおよび水中ポンプ１１２ｃが汚染地下水ＰＷによって水没した状態においてオゾン発生器１１２ａ、マイクロバブル生成装置１１２ｂおよび水中ポンプ１１２ｃの作動をそれぞれ開始させる。これにより、地下水処理装置１１０の浄化槽１１１内においては、マイクロバブル生成装置１１２ｂからマイクロバブル状のオゾンが噴射されるとともに水中ポンプ１１２ｃによって拡散されるため、このオゾンによって汚染地下水ＰＷに含まれる汚染物質（ＶＯＣや油分）が酸化分解される。この結果、浄化槽１１１内に貯留された汚染地下水ＰＷは、汚染物質の濃度が減少するとともにオゾンの分解生成物である酸素の量が増大した高濃度酸素水ＤＯＷとなって浄化槽１１１内の下流側に移動する。
【００４８】
そして、浄化槽１１１内の下流側に移動した高濃度酸素水ＤＯＷは、浄化槽１１１からオーバーフローして清水槽１１４に導かれる。また、この汚染地下水ＰＷの処理過程においては、汚染地下水ＰＷに溶解しきれず気中に放出されたオゾンガスが浄化槽１１１の天井に設けられたオゾン処理触媒１１３によって接触分解法により除去される。
【００４９】
一方、給水ポンプ１１５は、清水槽１１４内に設けたフロートスイッチ１１５ａがＯＮになるまで作動を開始しない。したがって、清水槽１１４に導かれた高濃度酸素水ＤＯＷは、清水槽１１４内に設けられたフロートスイッチ１１５ａがＯＮになるまでの間貯留されて高濃度酸素水ＤＯＷ内に含まれる残存オゾンにより引き続き汚染物質を含む有機物の酸化分解が行なわれる。すなわち、これらの浄化槽１１１および清水槽１１４内において、汚染地下水ＰＷに含まれる汚染物質が除去されるとともに溶存酸素量が増大した高濃度酸素水ＤＯＷが生成される。この場合、本発明者の実験によれば、本実施形態においては、高濃度酸素水ＤＯＷにおける溶存酸素濃度は約２０ｐｐｍ（２０ｍｇ／Ｌ）となる。そして、この第５工程における汚染地下水ＰＷをオゾンで浄化（酸化分解）して高濃度酸素水ＤＯＷを生成する工程が、本発明に係る浄化工程に相当する。
【００５０】
浄化槽１１１内の高濃度酸素水ＤＯＷが清水槽１１４内に導かれて所定量に達した場合には、清水槽１１４内のフロートスイッチ１１５ａがＯＮになる。これにより、給水ポンプ１１５が起動して作動を開始するため、清水槽１１４に貯留された高濃度酸素水ＤＯＷが給水配管１１６を介して散水管１１７および給水井戸１１８にそれぞれ導かれる。この場合、散水管１１７に導かれた高濃度酸素水ＤＯＷは、浄化対象領域ＣＥ内における汚染土壌ＰＳ上に散水された後、同汚染土壌ＰＳ内に浸透する（図２において破線矢印参照）。一方、給水井戸１１８に導かれた高濃度酸素水ＤＯＷは、給水管１２０を介して浄化対象領域ＣＥ内における汚染土壌ＰＳ内に直接注水される（図２において破線矢印参照）。この第５工程における高濃度酸素水ＤＯＷの汚染土壌ＰＳへの給水工程が、本発明に係る給水工程に相当する。
【００５１】
この清水槽１１４からの高濃度酸素水ＤＯＷの供給は、清水槽１１４内のフロートスイッチ１１５ａのＯＮ・ＯＦＦによって断続的に行なわれる。すなわち、清水槽１１４内の高濃度酸素水ＤＯＷの量が所定の下限量に達した場合には、フロートスイッチ１１５ａのＯＦＦにより給水ポンプ１１５の作動が停止して高濃度酸素水ＤＯＷの供給が停止する。これにより、清水槽１１４内における高濃度酸素水ＤＯＷ中の残存オゾンの酸化分解および高濃度酸素水ＤＯＷの生成と供給のバランスが調整されている。
【００５２】
一方、浄化対象領域ＣＥ内の汚染土壌ＰＳにおいては、浄化対象領域ＣＥ内への高濃度酸素水ＤＯＷの給水により高濃度酸素水ＤＯＷ内に含まれる酸素によって汚染土壌ＰＳ内に存在する好気性微生物の代謝が活発化する。これにより、浄化対象領域ＣＥ内における汚染物質の酸化分解が促進されるため、汚染土壌ＰＳが急速に浄化される。また、この場合、浄化対象領域ＣＥの周囲に設けられた６つの揚水井戸１０１は、井戸切替装置１０４によって連続的に選択された１つの揚水井戸１０１が浄化対象領域ＣＥの周囲の土中から汚染地下水ＰＷを汲み上げる。
【００５３】
このため、浄化対象領域ＣＥに供給された高濃度酸素水ＤＯＷは、汚染土壌ＰＳ内を揚水井戸１０１に向って吸引されて汚染土壌ＰＳ内を移動する間に溶存酸素量が減少するとともに汚染物質の溶存量が増大する（図２において破線矢印参照）。これにより、汚染土壌ＰＳ内に含まれる汚染物質が減少するとともに同汚染物質を含む汚染地下水ＰＷが揚水井戸１０１を介して地下水処理装置１１０に導かれる。すなわち、浄化対象領域ＣＥ内の汚染土壌ＰＳは、同汚染土壌ＰＳ内に含まれる汚染物質が生物分解処理（バイオレメディエーション）および化学分解処理によって分解処理されて浄化される。
【００５４】
このような汚染地下水ＰＷの揚水、汚染地下水のオゾンガスによる酸化分解、高濃度酸素水ＤＯＷの生成、高濃度酸素水ＤＯＷの給水および汚染土壌ＰＳ中の好気性微生物による酸化分解の活性化のサイクル、すなわち、汚染土壌ＰＳと地下水処理装置１１０と間の地下水の循環によって浄化対象領域ＣＥ内の汚染土壌ＰＳは次第に浄化される。そして、この汚染地下水ＰＷの揚水から好気性微生物による酸化分解の活性化までのサイクル（汚染地下水の循環）を行う時間は、浄化対象領域ＣＥにおける汚染土壌ＰＳの量や汚染の程度によって適宜決定される。例えば、本発明者らによる実験によれば、本実施形態においては、汚染土壌中のＶＯＣ濃度が０．０８ｍｇ／Ｌから０．００５ｍｇ／Ｌまでに低下させるのに約７週間の時間を要した。
【００５５】
したがって、作業者は、汚染土壌ＰＳの浄化処理作業の過程において定期的に浄化対象領域ＣＥから土壌を採取して汚染物質の濃度および好気性微生物の量をそれぞれ測定する。そして、作業者は、採取した土壌中の汚染物質濃度が所定の基準値以下となるまでの間、前記汚染地下水ＰＷの循環からなる浄化処理工程を続行する。この間、作業者は、汚染土壌ＰＳ中における好気性微生物の量が少なくなった場合には、地下水処理装置１１０の清水槽１１４内に好気性微生物を添加することにより、汚染土壌ＰＳ中に好気性微生物を補充する。また、汲み上げる汚染地下水ＰＷの揚水量が変化した場合には、揚水管１０２内における揚水配管１０３の吸込口の位置、すなわち、揚水位置を最適な位置に調整する。一方、作業者は、前記採取した土壌中の汚染物質濃度が所定の基準値以下となった場合には、井戸切替装置１０４、揚水ポンプ１０６、オゾン供給装置１１２および給水ポンプ１１５の作動をそれぞれ停止させてこの浄化処理工程を停止する。そして、作業者は、浄化対象領域ＣＥから土壌浄化システム１００を撤去して汚染土壌ＰＳの浄化処理作業を終了する。
【００５６】
上記作動説明からも理解できるように、上記実施形態によれば、汚染土壌の浄化システム１００による汚染土壌の浄化方法は、汚染土壌ＰＳを含む浄化対象領域ＣＥの周囲に施設した揚水井戸１０１から汚染地下水ＰＷを汲み上げてオゾンで化学分解処理することにより汚染地下水ＰＷを浄化するとともに溶存酸素量を増加させた高濃度酸素水ＤＯＷを浄化対象領域ＣＥに戻している。これにより、浄化対象領域ＣＥ内における汚染土壌ＰＳ中の好気性微生物の代謝を活発化することができ、生物分解処理を促進させることができる。すなわち、本発明に係る汚染土壌の浄化方法は、浄化対象領域ＣＥにおける汚染土壌ＰＳを生物分解処理する過程において汚染土壌ＰＳ中に地下水を循環させることにより、汚染物質を含む汚染地下水ＰＷを化学分解処理で浄化しながら生物分解処理を促進させることができる高濃度酸素水ＤＯＷを生成している。この結果、簡単かつ効率的な構成によって汚染土壌ＰＳを浄化することができ、汚染土壌ＰＳの浄化処理全体に掛かる時間、手間およびコストを低減することができる。
【００５７】
さらに、本発明の実施にあたっては、上記実施形態に限定されるものではなく、本発明の目的を逸脱しない限りにおいて種々の変更が可能である。
【００５８】
例えば、上記実施形態においては、汚染土壌ＰＳの浄化処理作業における第３工程において、浄化対象領域ＣＥ内の汚染土壌ＰＳの撹拌工程を行なった。しかし、汚染土壌ＰＳ中に汚染物質の生物分解処理が可能な十分な量の好気性微生物が既に存在している場合には、この第３工程をスキップしてもよいし、汚染土壌ＰＳの撹拌のみを行なうようにしてもよい。
【００５９】
また、この第３工程においては、浄化対象領域ＣＥの周囲から汲み上げた汚染地下水ＰＷに好気性微生物を添加して汚染土壌ＰＳに戻した。しかし、好気性微生物を添加する水は必ずしも汚染地下水ＰＷである必要はなく、浄化対象領域外の土中、河川および上水道から取得した所謂清水に好気性微生物を添加して汚染土壌ＰＳに供給するようにしてもよい。この場合、清水中で好気性微生物が活動し易くなるように清水中に溶存している殺菌成分（例えば、カルキ）を除去するとともに好気性微生物の栄養源（有機物）を好気性微生物とともに清水に添加するとよい。
【００６０】
また、上記実施形態においては、揚水井戸１０１から汚染地下水ＰＷを汲み上げる際、井戸切替装置１０４を用いて予め設定された時間間隔ごとに６つの揚水井戸１０１を順次切り替えて揚水ポンプ１０６に接続することにより、１つの揚水井戸１０１から汚染地下水を汲み上げるように構成した。これは、浄化対象領域ＣＥ内に地下水の水道（みずみち）が形成されることを防止することにより、浄化対象領域ＣＥ内から満遍なく汚染地下水ＰＷを汲み上げるためである。したがって、浄化対象領域ＣＥ内から満遍なく汚染地下水ＰＷを汲み上げることができれば、必ずしも、１つの揚水井戸１０１から汚染地下水ＰＷを汲み上げある必要はなく、２本以上の揚水井戸１０１から汚染地下水ＰＷを汲み上げるようにしてもよい。この場合、２本以上の揚水井戸１０１は、浄化対象領域ＣＥ内の汚染土壌ＰＳの状況に応じて互いに隣接する揚水井戸１０１であってもよいし、互いに１つ以上の揚水井戸１０１を介した揚水井戸１０１であってもよい。すなわち、揚水井戸１０１による揚水工程は、浄化対象領域ＣＥの周囲に施設した全ての揚水井戸１０１の数より少ない数を単位として各単位ごとの揚水井戸１０１から順番に汚染地下水ＰＷを揚水するようにすればよい。また、浄化対象領域ＣＥ内に地下水の水道（みずみち）が形成される心配がない場合や、地下水の水道が形成されても良い場合（汚染土壌ＰＳの浄化効果に影響を及ぼさない場合）には、浄化対象領域ＣＥの周囲に造設した全ての揚水井戸１０１から同時に汚染地下水を汲み上げるようにしてもよい。
【００６１】
また、上記実施形態においては、汚染土壌ＰＳの浄化処理作業における第４工程において、散水管１１７および給水井戸１１８をそれぞれ造設した。しかし、散水管１１７および給水井戸１１８からなる給水設備は、浄化対象領域ＣＥに高濃度酸素水ＤＯＷを満遍なく給水することができれば、必ずしも上記実施形態に限定されるものではない。例えば、第４工程で造設する給水設備として、散水管１１７および給水井戸１１８のどちらか一方であってもよい。なお、この場合、好気性微生物は土壌中に生息しているため土壌上に供給するよりも直接土壌中に供給する給水井戸１１８の方が汚染土壌を効率的かつ効果的に浄化することができる。
【００６２】
また、上記実施形態においては、オゾン供給装置１１２は、マイクロバブル生成装置１１２ｂにより気泡直径が約５０μｍ以下の所謂マイクロバブルを噴射するように構成されている。しかし、オゾン供給装置１１２は、汚染地下水ＰＷ中に含まれる汚染物質を化学分解処理できるオゾンを発生させるものであれば、どのような大きさおよび形態のオゾンを発生させるものであってもよい。すなわち、オゾン供給装置１１２は、マイクロバブル生成装置１１２ｂを省略して直接浄化槽１１１内にオゾンガスを供給することもできる。また、水中ポンプ１１２ｃも浄化槽１１１内におけるオゾンガスを十分に拡散できるもの、例えば撹拌扇などであってもよいし、オゾンガスの噴射のみでオゾンガスを十分に拡散できる場合などには省略することもできる。
【００６３】
また、上記実施形態においては、地下水処理装置１１０内にオゾン処理触媒１１３を設置した。このオゾン処理触媒１１３は、汚染地下水ＰＷから気中に放出されたオゾンガスを除去できるものであればよく、必ずしも、接触分解法によるオゾンガスの除去でなくてもよい。この場合、オゾンガスを除去する方法としては、例えば、加熱分解法や活性炭吸着分解法を利用することができる。また、浄化槽１１１内に供給するオゾン量を調節することにより気中に放出されるオゾンガスの量を減じて敢えて除去の必要ない場合には、オゾンガスを除去する設備は省略することができる。
【符号の説明】
【００６４】
ＣＥ…浄化対象領域、ＰＳ…汚染土壌、ＰＷ…汚染地下水、ＤＯＷ…高濃度酸素水、
１００…汚染土壌の浄化システム、１０１…揚水井戸、１０２…揚水管、１０２ａ…胴部、１０２ｂ…網体、１０３…揚水配管、１０４…井戸切替装置、１０５…ポンプ配管、１０６…揚水ポンプ、１０７…浄化槽配管、
１１０…地下水処理装置、１１１…浄化槽、１１１ａ…仕切板、１１２…オゾン供給装置、１１２ａ…オゾン発生器、１１２ｂ…マイクロバブル生成装置、１１２ｃ…水中ポンプ、１１３…オゾン処理触媒、１１４…清水槽、１１５…給水ポンプ、１１５ａ…フロートスイッチ、１１６…給水配管、１１７…散水管、１１８…給水井戸、
１２０…給水管、１２０ａ…胴部、１２０ｂ…ジョイント部、１２０ｃ…挿込部。
【図１】
0005704605.tif 000002
【図２】
0005704605.tif 000003
【図３】
0005704605.tif 000004